(57)【要約】      （修正有）【課題】使用後に自動的に針先を収納し、使用後の針先と接触しない回転式安全注射針具を提供する。【解決手段】回転式安全注射針具は、前、後ソケット１０，２０を回転させることで、その内部の針台を後ソケット２０方向へ移動させてバネを収縮させると、その前端の保護カバー３２が外れ、針台上の弾性押ボタン３３は、後ソケット上の押圧口２３と共に掛合支持作用を構成して針台を後に固定し、スクリュー溝槽に沿ってバネ弾力を調節し、採血の深さを調整しやすい。前ソケット１０前端の穿孔を使用部位に当てた後、弾性押ボタンを押して針台への制限を外すと、バネが針台を瞬時に前ソケットの穿孔方向へ弾き出し、針先を前ソケットの穿孔１３から出して使用部位を刺す。更にバネが力を受けない自由状態に回復させると、針台及び針先が共に元に戻り、針先を前、後ソケット内部に収納し、使用後の針先と接触させない。【選択図】図１
0003157011.tif 000002
【実用新案登録請求の範囲】
【請求項１】
回転式安全注射針具において、
相互に嵌合して共に回転し、内壁にはそれぞれ少なくとも一本の相互に向き合う軸向溝槽、及び少なくとも一スクリュー溝槽がそれぞれ設置され、スクリュー溝槽の末端は軸向溝槽と接続し、更に該後ソケットのスクリュー溝と軸向溝槽の接続箇所には筒壁を貫通した押圧口を設置する一組の前ソケット及び該後ソケットと、
該一組の前、後ソケット内部に設置し、その前端には針先を設置し、その外壁には弾性押ボタンを設置して該押圧口と共に掛合作用を構成し、スクリュー溝槽及び軸向溝槽内に収縮させて入れ、該針台の外壁には別に少なくとも一凸部供相對伸入該前ソケットのスクリュー溝槽を設置する針台と、
該一組の前、後ソケット内部に設置し、その両固定端はそれぞれ該後ソケット及び該針台と相互に固定し、力を受けていない時には該針台の針先を該一組の前、後ソケット内部に収納するバネを含むことを特徴とする回転式安全注射針具。
【請求項２】
前記前ソケットの前端は、穿孔を設置してそこから該針先が進出し、該針台は、その針先の外側を保護カバーで覆い、該保護カバーの一端は該前ソケットの穿孔に相対して伸び、該保護カバーの前ソケットに相対して伸びた幅は穿孔より大きいことを特徴とする請求項１記載の回転式安全注射針具。
【請求項３】
前記回転式安全注射針具は、更に該前、後ソケット中の各スクリュー溝槽間の距離を調整することによって、バネの弾力及び針先の穿刺力を調整することを特徴とする請求項１記載の回転式安全注射針具。
【考案の詳細な説明】
【技術分野】
【０００１】
本考案は、安全な採血針具に関するもので、特に使用後に自動的に針先を収納し、完全に使用者の安全を護り、使用した針先と接触しない回転式安全注射針具に係わる。
【背景技術】
【０００２】
現在の医療検査に於いて、射出式もしくは浸入式の採血装置を使用している。例として、糖尿病患者の血糖濃度をコントロールするため、医療従事者は毎日、患者に注射して血液サンプルを採取し、次に採取した血液サンプルを試験紙上に垂らし、その試験紙を血糖測定装置の中に入れて血液サンプルの血糖濃度を読み取る。
【０００３】
類似の採血装置は主に針具を患者の皮膚に刺すため、患者の血液と接触する。そのため、その針具を通して疾病(例としてAIDS、B型、C型肝炎等々２０種余りに達する)に感染した後遺症は見逃すことができない。また、公知の採血針具もしくは伝統的な針具、もしくは真空採血針具等は、その使用後の汚染された針先が外に露出しているため、針が刺さって傷つけやすく、医療従事者の安全を保護できないでいる。
【考案の概要】
【考案が解決しようとする課題】
【０００４】
解決しようとする問題点は、如何にして公知の採血針具の操作上の欠点に対し、関係する人の安全性を確保し、使用者が使用後の針先にうっかり触れてしまったり、もしくは重複して使用したりするのを防ぐかという点である。
【課題を解決するための手段】
【０００５】
本考案は、前、後ソケットを回転させることで、その内部の針台を後ソケット方向へ移動させてバネを収縮させると、その前端の保護カバーが外れ、針台上の弾性押ボタンは、後ソケット上の押圧口と共に掛合支持作用を構成して針台を後に固定し、スクリュー溝槽に沿ってバネ弾力を調節し、採血の深さを調整しやすい。前ソケット前端の穿孔を使用部位に当てた後、弾性押ボタンを押して針台への制限を外すと、バネが針台を瞬時に前ソケットの穿孔方向へ弾き出し、針先を前ソケットの穿孔から出して使用部位を刺す。更にバネが力を受けない自由状態に回復させると、針台及び針先が共に元に戻り、針先を前、後ソケット内部に収納し、使用後の針先と接触させないことを最も主要な特徴とする。
【考案の効果】
【０００６】
本考案の回転式安全注射針具は、使用後に自動的に針先を収納し、使用後の針先と接触しないという利点がある。
【図面の簡単な説明】
【０００７】
【図１】本考案の回転式安全注射針具の外観立体図である。
【図２】本考案の回転式安全注射針具の構造断面図である。
【図３】本考案の回転式安全注射針具の保護カバーを外した後の構造断面図である。
【図４】本考案の回転式安全注射針具の針台を固定した後の構造断面図である。
【図５】本考案の回転式安全注射針具の弾性押ボタンを押した状態の指示図である。
【図６】本考案の回転式安全注射針具の針先が飛び出した状態指示図である。
【図７】本考案の回転式安全注射針具の針先が前、後ソケット内に収納された状態指示図である。
【図８】本考案の回転式安全注射針具の別の一実施例の構造断面図である。
【図９】本考案の回転式安全注射針具の更に別の一実施例の外観立体図である。
【図１０】本考案の回転式安全注射針具の弾性押ボタンが多段回転した状態指示図である。
【考案を実施するための形態】
【０００８】
本考案は使用後に自動的に針先を収納し、使用後の針先と接触しない回転式安全注射針具構造を提供することを本考案の主な目的とする。
【０００９】
上述の目的のため、本考案の回転式安全注射針は、一組の相対回転する前、後ソケット内に針台及びバネを設置する。前、後ソケットが回転すると、針台が後ソケットの方向軸向に移動し、同時にバネを押して針台を後に固定する。弾性押ボタンを押して針台に対する制限を緩めると、バネが針台を瞬時に前ソケットの穿孔方向へ押し出し、針先を前ソケットの穿孔から出して使用部位を刺す。またバネが回復して力を受けない状態になると、針台及び針先を元に戻し、該針先を該一組の前、後ソケット内部に収納して使用後の針先を接触させない。
【００１０】
針台の針先の外側を保護カバーで覆うことを本考案の次の目的とする。該保護カバーは、針台に於いて針台と相対する後ソケットの方向軸向へ移動して外れ、該保護カバーが針先に遮蔽作用を構成し、該保護カバーの存在によって使用したものか否かを即座に識別する。
【００１１】
回転式安全注射針具は使用すると自動的に針先を該一組の前、後ソケット内部の後に収納することを本考案の更に別の目的とする。該バネは、力を受けていない時には自由に伸びており、針台の凸部を軸向溝槽の予定行程で留め、前、後ソケットの回転に制限を加え、重複使用することを防止する。
【実施例】
【００１２】
図１及び図２に示すとおり、本考案の回転式安全注射針具は、一組の前ソケット１０及び後ソケット２０、針台３０、及びバネ４０を含む。そのうち、
【００１３】
該前ソケット１０及び該後ソケット２０は、相互に嵌合させて相対して回転する。該前ソケット１０の前端は、穿孔１３が設置され、そこから針先３１が出る。該前、後ソケット１０、２０の内壁は各々少なくとも一本の相互に向き合う軸向溝槽１１、２１が設置され、更にそれぞれ少なくとも一スクリュー溝槽１２、２２が設置される。該前、後ソケット１０、２０のスクリュー溝槽１２、２２末端は、軸向溝槽１１、２１と接続し、更に該後ソケット２０のスクリュー溝槽２２と軸向溝槽２１の接続箇所にはソケット壁にネジ回転して差し込む押圧口２３を設置する。
【００１４】
該針台３０は、該一組の前、後ソケット１０、２０内部に設置し、その前端には針先３１を設置し、更に針先３１外側は保護カバー３２で覆う。該保護カバー３２の一端は、該前ソケット１０の穿孔１３へ伸び、且つ該保護カバー３２の前ソケット１０に相対して伸びた幅は、穿孔１３より大きい。該針台の外壁は弾性押ボタン３３を設置して該押圧口２３と共に掛合支持し、弾性押しボタン３３を該後ソケット２０のスクリュー溝槽２２及び軸向溝槽２１内に収縮させて挿入する。該針台の外壁は別に少なくとも一凸部３４を設置してそれを該前ソケット１０のスクリュー溝槽１１を入れる。
【００１５】
次に該バネ４０は、該一組の前、後ソケット１０、２０内部に設置して該後ソケット２０と該針台３０の間に相対させ、該バネ４０の両固定端はそれぞれ該後ソケット２０及び該針台３０と相互に固定する。力がかかっていない時、該針台３０の針先３１を該一組の前、後ソケット１０、２０内部に収納した状態である。
【００１６】
図３に示すとおり、本考案の回転式安全注射針具は、使用する時、前、後ソケット１０、２０を相対して回転し、針台３０の凸部３４と前ソケット１０のスクリュー溝槽１２を相互に引き合わせると、針台３０を後ソケット２０の方向へ軸向に移動させ、同時にバネ４０を押し、バネ４０に針台３０を朝向前ソケット１０へ推す力を蓄えさせる。針台３０は後ソケット２０方向へ相対して移動すると同時に、該保護カバー３２は穿孔１３を通過できなくなり、自動的に外れる。
【００１７】
図４に示すとおり、前、後ソケット１０、２０が回転して該弾性押ボタン３３に達し、スクリュー溝槽２２と軸向溝槽２１の接続箇所まで到達した時、該弾性押ボタン３３は、押圧口２３と共に掛合支持作用によって針台３０を後に固定し、該弾性押ボタン３３及び該少なくとも一凸部３４を回転させて該後ソケット２０及び該前ソケット１０の軸向溝槽２１、１１と向き合わせる。
【００１８】
続いて前ソケット１０の穿孔１３を使用部位に合わせると、図５に示すように弾性押ボタン３３を押して針台３０の制限を緩め、図６に示すようにバネ４０が針台３０を一瞬のうちに前ソケット１０の穿孔１３方向へ弾き出し、針先３１が前ソケット１０の穿孔１３から飛び出し、使用部位を刺す。バネ４０が回復して力を受けない状態になると、図７に示すように針台３０及び針先３１を共に元に戻し、該針先３１は該一組の前、後ソケット１０、２０内部に収納され、使用後の針先３１と接触しない。
【００１９】
他に、該前、後ソケット内の各スクリュー溝の槽間の距離を調整しても良く、回転式安全注射針具全体の弾力及び穿刺力を調整する。図８では各スクリュー溝槽１２、２２間の距離を大きくして前、後ソケット１０、２０の回転ルートを増やすことでバネ４０を押したときの圧縮弾力が高まり、該針先３１を使用する時に更に大きな穿刺力を備える。更に該押圧口２３もまた弾力の深さを調節した螺旋状溝槽にしてもよい。図９では前、後ソケット内のスクリュー溝槽１２、２２のルートの長さを増やすことで、必要に応じて該弾力もしくは穿刺力の大きさを調整する。例として更に大きな弾力もしくは穿刺力が必要な場合、前、後ソケットを回転させて弾性押ボタン３３を該押圧口２３に沿って移動させる。
【００２０】
更に、本考案の回転式安全注射針具は未使用の時、図２に示すとおり、該保護カバー３２が針先３１に対して遮蔽作用を構成しており、該保護カバー３２によって、使用したか否かを直ぐに識別する。また針具は使用すると自動的に針先を該一組の前、後ソケット内部に収納すると、図７に示すように該バネ４０は力を受けていない自由伸展状態になり、針台３０の凸部３４を軸向溝槽１１の予定行程で留め、前、後ソケット１０、２０の回転を制限して重複使用するのを防止する。
【００２１】
上述に示すとおり、本考案は回転式安全注射針具を提供して実用新案として申請する。本考案の技術内容及び技術特徴は、上述に示したとおりであるが、本項に習熟した者が本考案の提示に基づいて各種の本考案の創作精神から乖離しない入替修飾を行うかもしれない。そのため、本考案の保護範囲は、実施例に制限されず、各種本考案から乖離しない替換及び修飾を含み、以下の請求範囲に含むものとする。
【符号の説明】
【００２２】
１０        前ソケット
１１        軸向溝槽
１２        スクリュー溝槽
１３        穿孔
２０        後ソケット
２１        軸向溝槽
２２        スクリュー溝槽
２３        押圧口
３０        針台
３１        針先
３２        保護カバー
３３        弾性押ボタン
３４        凸部
４０        バネ
【図１】
0003157011.tif 000003
【図２】
0003157011.tif 000004
【図３】
0003157011.tif 000005
【図４】
0003157011.tif 000006
【図５】
0003157011.tif 000007
【図６】
0003157011.tif 000008
【図７】
0003157011.tif 000009
【図８】
0003157011.tif 000010
【図９】
0003157011.tif 000011
【図１０】
0003157011.tif 000012